(57)【特許請求の範囲】
【請求項１】
ガイドボックスと、
このガイドボックスに支点軸を中心として回転可能に取付けてある一対のローラホルダと、
各ローラホルダの先端部にローラ支持軸を回転中心として設けてあるガイドローラと、
上記ガイドローラの芯間を調整するための芯間調整機構と
を具備しており、
上記芯間調整機構は、調整部と、上記ローラホルダの後端部側にそれぞれ配置してある調整軸と、各調整軸の上部に設けてあって上記調整部と連動する偏心部と、上記各ローラホルダの後端部をローラホルダの長さ方向と直交する方向に貫通している複数本の保持ボルトとを備えており、
上記各保持ボルトは、上下方向に間隔を置いて配置されていると共に、その先端部は上記調整軸に当接してローラホルダの保持手段を構成している
ことを特徴とする入口ローラガイド装置。
【請求項２】
両ローラホルダの先端部間には、先端部を開く方向にばね力を付与しているばねを設けてあることを特徴とする請求項１記載の入口ローラガイド装置。
【請求項３】
ガイドボックスと、
このガイドボックスに支点軸を中心として回転可能に取付けてある一対のローラホルダと、
各ローラホルダの先端部にローラ支持軸を回転中心として設けてあるガイドローラと、
上記ガイドローラの芯間を調整するための芯間調整機構と
を具備しており、
上記芯間調整機構は、上記ローラホルダの後端部側に配置してある門形の中心振分フレームと、上記各ローラホルダの後端部側でその長さ方向と直交する方向にローラホルダを貫通している調整ボルトとを備えており、
上記中心振分フレームは、上記ガイドホックスに上下動可能に取付けてあって、その両側部には上記調整ボルトに対向する位置に芯間調整用の調整面を形成してあり、調整ボルトの先端部が各調整面に当接している
ことを特徴とする入口ローラガイド装置。
【請求項４】
両ローラホルダの先端部間には、先端部を開く方向にばね力を付与しているばねを設けてあることを特徴とする請求項３記載の入口ローラガイド装置。
【発明の詳細な説明】
【発明の属する技術分野】
この発明は、入口ローラガイド装置に関する。
【従来の技術】
従来の入口ローラガイド装置では、一対のローラホルダの先端部にガイドローラを設けてあり、各ローラホルダはガイドボックスに支点軸を中心として回転可能に取付けられており、ガイドローラ間で圧延材を圧延機側に案内誘導するものである。
【発明が解決しようとする課題】
従来例によると、パスラインを挾んで平行に配置されている対のローラホルダは、圧延材の誘導案内時にローラホルダ間が下向きに開いて、すなわち「ハ」の字形に開くいわゆる「片開き」現象が生じて、案内時に圧延材が倒れるおそれがあった。
この発明の目的は、ローラホルダの片開きを防止することにある。
【課題を解決するための手段】
この発明は、ガイドボックスと、このガイドボックスに支点軸を中心として回転可能に取付けてある一対のローラホルダと、各ローラホルダの先端部にローラ支持軸を回転中心として設けてあるガイドローラと、上記ガイドローラの芯間を調整するための芯間調整機構とを具備しているものである。
上記芯間調整機構としては、例えば次のものがある。
第一の芯間調整機構は、調整部と、上記ローラホルダの後端部側にそれぞれ配置してある調整軸と、各調整軸の上部に設けてあって上記調整部と連動する偏心部と、上記各ローラホルダの後端部をローラホルダの長さ方向と直交する方向に貫通している複数本の保持ボルトとを備えており、上記各保持ボルトは、上下方向に間隔を置いて配置されていると共に、その先端部は上記調整軸に当接してローラホルダを保持して、案内誘導時に負荷のかかるローラホルダの片開きを抑制するものである。
第二の上記芯間調整機構は、調整部と、上記ローラホルダの後端部側にそれぞれ配置してある調整軸と、各調整軸の上部に設けてあって上記調整部と連動する偏心部とを備えており、上記各調整軸は、ローラホルダ内を上下方向に挿通され、ローラホルダの後端部を保持して、案内誘導時に調整軸は負荷がかかるローラホルダの支えとなってローラホルダの片開きを抑制するものである。
第三の芯間調整機構は、ローラホルダの後端部側に配置してある門形の中心振分フレームと、上記各ローラホルダの後端部側でその長さ方向と直交する方向にローラホルダを貫通している調整ボルトとを備えており、上記中心振分フレームは、上記ガイドボックスに上下動可能に取付けてあって、その両側部には上記調整ボルトに対向する位置に芯間調整用の調整面を形成してあり、調整ボルトの先端部が各調整面に当接しており、案内誘導時に上記中心振分フレーム偏心が調整ボルトを通じてローラホルダの支えとなってローラホルダの片開きを抑制するものである。
【発明の実施の形態】
図１乃至図４に示す入口ローラガイド装置Ｇ１について説明する。
ガイドボックス１０１は、その先端部側（図１左端部側）を圧延機に向けてしかもこの圧延機の入口に設けられる。ガイドボックス１０１には一対のローラホルダ１０２が設けられている。これらのローラホルダ１０２は、支点軸１０３を中心として先端部側が互いに接近離反可能であって、接近及び離反を通じてローラホルダ間は開閉可能となっている。各ローラホルダ１０２において、先端部には主ガイドローラ１０４が第一ローラ支持軸１０５にこれを回転中心として回転自在に軸支され、また主ガイドローラの後端には副ガイドローラ１０６が第二ローラ支持軸１０７を回転中心として取付けられている（図３）。１０３ａは支点軸１０３の下部である。第二ローラ支持軸１０７は支点軸１０３に設けられている。支点軸１０３と第２ローラ支持軸１０７との双方の軸心は互いに偏心している。各ローラホルダ１０２は、その後端部にその長さ方向と直交する方向に外側面から内側面に向けて複数本（図４で各２本）の保持ボルト１０８がねじ込まれかつ図４左右方向に貫通されている。各保持ボルト１０８は、その先端部をローラホルダ１０２の後端部の内側において起立状態にあって後述する調整軸１１８に当接して、ローラホルダの保持手段であると共に、芯間調整機構１０９の一部を構成している。保持ボルト１０８はナット１０８ａによって固定される。
芯間調整機構１０９は、主ガイドローラ１０４及び副ガイドローラ１０６のそれぞれの芯間調整を同時に行うことができる。
ここで、芯間調整機構１０９について説明する。
ガイドボックス１０１の上部中央にペデスタル１１０が取付けられており、このペデスタルに作動体であるピニオンシャフト１１１が軸受されている。ピニオンシャフト１１１には、互いに逆ねじ関係にある調整部である調整ピニオン１１２がペデスタル１１０を挾んで設けられている。
また図３に示すように、調整軸１１８の上部及び下部には第一上偏心部１１３及び第一下偏心部１１４をそれぞれ設けてある。第一上偏心部１１３及び第一下偏心部１１４はいずれもガイドボックス１０１に保持されている。第一上偏心部１１３は、ギアホイール１１５を一体的に形成してある。支点軸１０３の上部には第二上偏心部１１６を設けてある。第二上偏心部１１６は、図３に示すようにギアホイール１１７を一体的に形成してある。
第一上偏心部１１３と第二上偏心部１１６とは、互いに圧延材の進行方向（図１左右方向）に沿って間隔を置いて対向して配置されている。調整ピニオン１１２は、対向する第一及び第二上偏心部１１３，１１６の間に位置されてそれぞれのギアホイールのギア部１１５ａ，１１７ａと噛み合っている。
図１鎖線に示すように、ばねであるテンションスプリング１１９は両ローラホルダ１０２の先端部間に設けてある。テンションスプリング１１９は、ローラホルダ１０２の先端部間を開く方向にばね力が付与されており、このため後端部は閉じる方向にばね力がかかることになるから、ローラホルダ１０２の後端部にねじ込まれている保持ボルト１０８の先端部は常に調整軸１１８に所定の圧力で接触している。そして支点軸１０３の軸孔の内側には、支点軸とローラホルダ１０２とが接触して隙間があくことを抑制できるから、ローラホルダのガタ付きを防止できる。
したがって、調整ピニオン１１２は、ピニオンシャフト１１１を回転操作すれば、第一上偏心部１１３と第二上偏心部１１６とを同時に回転させることができる。第一上偏心部１１３の回転に伴って調整軸１１８は偏心回転可能となり、その回転力は調整軸に接触している保持ボルト１０８を通じてローラホルダ１０２の後端部側に伝達され、ローラホルダが支点軸１０３を中心として回転可能となり、その結果主ガイドローラ１０４の位置調整が図られる。保持ボルト１０８はローラホルダ１０２の後端部側を支持する機能を有すると共に、調整軸１１８の偏心回転力をローラホルダへ伝える機能をも有する。また第二上偏心部１１６の回転に伴って第二ローラ支持軸１０７は偏心回転可能となり、その結果副ガイドローラ１０６の位置調整が図られる。
ガイドボックス１０１の後端側には圧延材の形状と近似する形状の孔形を有するエントリーガイド１２０が挿入されており、このエントリーガイドの先端部は押えボルト１２１によってガイドボックスに固定されている。
つぎに、主ガイドローラ１０４及び副ガイドローラ１０６のそれぞれの芯間調整操作について説明する。
ピニオンシャフト１１１を手動または自動によって回す。すると、ギアホイール１１５，１１７を介して第一上偏心部１１３と第二上偏心部１１６とは同時回転する。
一方において、第一上偏心部１１３の回転に伴って調整軸１１８は偏心回転し、この回転力が調整軸に接触している保持ボルト１０８を通じてローラホルダ１０２の後端部に伝達され、ローラホルダが支点軸１０３を中心として回転するために、両ローラホルダ間が開閉され、この結果主ガイドローラ１０４の芯間の調整が図られる。調整後、保持ボルト１０８にねじ込んであるナット１０８ａを締め付けて、ローラホルダ１０２を固定する。
他方において、第二上偏心部１１６の回転に伴って支点軸１０３は偏心回転し、このために第二ローラ支持軸１０７を通じて各副ガイドローラ１０６の位置が移動され、この結果副ガイドローラの芯間の調整が図られる。
この実施の形態では、主ガイドローラ１０４及び副ガイドローラ１０６のそれぞれの芯間調整を同時に行うことができ、主ガイドローラの芯間調整と副ガイドローラの芯間調整とを二段階に分けて行う必要がないから、調整操作の迅速化を達成できる。そしてローラホルダ１０２の後端部を上下方向に間隔を置いて配置した複数の保持ボルト１０８によって保持することで、パスラインを挟んで対向するローラホルダ間が圧延材の誘導案内時に「ハ」の字形に開いて圧延材が倒れるという「片開き」を防止できる。しかも、主ガイドローラ１０４の芯間調整時に、保持ボルト１０８は調整軸１１８からローラホルダ１０２へ回転力を伝達する役割を果すために、芯間調整機構１０９を簡単な構成にすることに寄与する。さらに、テンションスプリング１１９は、ローラホルダ１０２の先端部間を開く方向にばね力が付与されているので、テンションスプリングを後端部間に設ける場合に比較して支点軸１０３におけるローラホルダ１０２のガタ付きを抑制できる。
図５乃至図９に示す入口ローラガイド装置Ｇ２について説明する。
入口ローラガイド装置Ｇ２の構成は入口ローラガイド装置Ｇ１のそれと実質的に同一であるので、相違する構成について説明し、共通する構成は必要な場合のみ説明する。
入口ローラガイド装置Ｇ２における各ローラホルダ２０２は、図７及び図９に示すように、その後端部に平面長円形の軸孔２０２ａが上下方向に貫通されている。芯間調整機構２０９の調整軸２１８は軸孔２０２ａ内に挿入され、ローラホルダ２０２の後端部を保持する手段を構成している。図９に示すローラホルダ２０２において、２０２ｂはローラ支持軸用の軸孔、２０２ｃは支点軸用の軸孔である。図５において、２２２はノーズピースである。
したがって、ピニオンシャフト２１１を回すと、調整ピニオン２１２、ギア部２１５ａ，２１７ａを有するギアホイール２１５，２１７を介して第一上偏心部２１３と第二上偏心部２１６とは同時回転する。一方において、第一上偏心部２１３の回転に伴って調整軸２１８は偏心回転し、この回転力が直接ローラホルダ２０２の後端部側に伝達され、ローラホルダが支点軸２０３を中心として回転するために、両ローラホルダ間が開閉され、この結果主ガイドローラ２０４の芯間の調整が図られる。他方において、両第二上偏心部２１６の回転に伴って第二ローラ支持軸２０７は偏心回転し、各副ガイドローラ２０６の位置が移動され、この結果副ガイドローラの芯間の調整が図られる。
ガイドボックス２０１、支点軸の下部２０３ａ、第一ローラ支持軸２０５、ペデスタル２１０、第一下偏心部２１４、エントリーガイド２２０及び押えボルト２２１は、前記ガイドボックス１０１、第一ローラ支持軸１０５、ペデスタル１１０、第一下偏心部１１４、支点軸の下部１０３ａ、エントリーガイド１２０及び押えボルト１２１にそれぞれ対応する。
この実施の形態では、上述した「片開き」を防止できる効果の他に、前記保持ボルト１０８を用いることなく、調整軸２１８の偏心回転力を直接ローラホルダ２０２に伝達されるので、ガイド装置全体の構成がより一層簡単となる。
図１０乃至図１４に示す入口ローラガイド装置Ｇ３について説明する。
入口ローラガイド装置Ｇ３は、入口ローラガイド装置Ｇ１と基本的構成において共通しているので、以下相違する構成について説明し、共通する構成は必要な場合のみ説明する。
入口ローラガイド装置Ｇ３の芯間調整機構は、相互に独立している第一芯間調整機構３０９Ａと第二芯間調整機構３０９Ｂとからなる。
第一ローラ支持軸３０５に取付けられている主ガイドローラ３０４の芯間調整をするための第一芯間調整機構３０９Ａについて説明する。
第一芯間調整機構３０９Ａは、門形の中心振分フレーム３２３と調整ボルト３２６とを備えている。図１２乃至図１４に示すように、中心振分フレーム３２３は、ローラホルダ３０２の後端側で、しかも両ローラホルダの後端部間にガイドボックス３０１の後端部を跨ぐように配置されている。中心振分フレーム３２３は、その水平部がガイドボックス３０１の上部に起立した棒状の支持部３２４に上下動可能に取付けられ、位置決めナット３２４ａによって位置決めされる。中心振分フレーム３２３には、その水平部とガイドボックス３０１との間に設けてある例えばコイルばねのようなばね３２５（図１２）のばね力によって上方へばね力が付与されている。中心振分フレーム３２３の両側部３２３ａの下部外側面には、図１２及び図１４に示すように下方に向けて次第に内側へ傾斜した調整面３２３ａ１がそれぞれ形成されている。
調整ボルト３２６は、ローラホルダ３０２の後端側でその長さ方向と直交する方向にローラホルダを貫通している。調整ボルト３２６はローラホルダ３０２の後端部の中央部（図１１）に位置している。各調整ボルト３２６の先端部は調整面３２３ａ１に当接されている。各調整ボルト３２６に固定ナット３２６ａがねじ込まれている。
中心振分フレーム３２３と調整ボルト３２６との関係を説明すると、中心振分フレーム３２３が上下動すると、調整面３２３ａ１も上下方向に移動する。ローラホルダ３０２の先端部間はテンションスプリング３１９によって常時開く方向にばね力がかかっているから、後端部間は閉じる方向にある。このために、ローラホルダ３０２に取付けられかつ調整面３２３ａ１に接触している調整ボルト３２６は、調整面３２３ａ１が上昇すると、次第に図１４内側に水平移動し、反対に降下すると外側に水平移動する。このような調整ボルト３２６の水平移動に従動してローラホルダ３０２の先端部間は開閉されることになるので、主ガイドローラ３０４の芯間が中心振分で調整される。
第二ローラ支持軸３０７に取付けられている副ガイドローラ３０６の芯間調整をするための第二芯間調整機構３０９Ｂについて説明する。
第二芯間調整機構３０９Ｂにおいて、図１０に示すようにガイドボックス３０１の上部中央にペデスタル３１０が取付けられており、このペデスタルに作動体であるピニオンシャフト３１１が軸受されている。ピニオンシャフト３１１には、互いに逆ねじ関係にある調整部である調整ピニオン３１２がペデスタル３１０を挾んで設けられている。
また図１３に示すように、支点軸３０３は第二ローラ支持軸３０７を取付けている。支点軸３０３の上部には上偏心部３１６を設けてある。上偏心部３１６はギアホイール３１７を一体的に形成してある。上偏心部３１６のギアホイールのギア部３１７ａには調整ピニオン３１２が噛み合っている。３０３ａは支点軸３０３の下部である。  図１０及び図１１において、３２７はガイドボックス３０１を保持するベースである。
つぎに、主ガイドローラ３０４及び副ガイドローラ３０６のそれぞれの芯間調整操作について説明する。
主ガイドローラ３０４の調整に関して、芯間を広げる場合には位置決めナット３２４ａを締付ける方向に回しながら中心振分フレーム３２３をばね３２５のばね力に抗して支持部３２４を案内として降下させると、調整面３２３ａ１も降下するから、調整面に接触している調整ボルト３２６は図１２外側に移動され、このためにローラホルダ３０２は支点軸３０３を中心として先端部間が開くように回転し、したがって主ガイドローラ３０４の芯間が開くように中心振分調整される。調整後は、位置決めナット３２４ａの回転を止め、調整ボルト３２６の位置決めナット３２４ａを締付けて、ローラホルダの後端部を固定保持する。
また芯間を狭くする場合には位置決めナット３２４ａを緩める方向に回しながら中心振分フレーム３２３をばね３２５のばね力を利用して支持部３２４を案内として上昇させると、調整面３２３ａ１も上昇するから、調整ボルト３２６は図１２内側に移動され、このためにローラホルダ３０２は支点軸３０３を中心として先端部間が閉じる方向に回転し、したがって主ガイドローラ３０４の芯間が閉じるように中心振分調整される。調整後は、位置決めナット３２４ａの回転を止め、調整ボルト３２６の固定ナット３２６ａを締付けて、ローラホルダの後端部を固定保持する。
副ガイドローラ３０６の調整では、ピニオンシャフト３１１を回すと、ギアホイール３１７を介して上偏心部３１６は回転するから、この回転に伴って第二ローラ支持軸３０７は偏心回転し、このために各副ガイドローラ３０６が移動され、この結果副ガイドローラの芯間の調整が図られる。
図１０に示すエントリーガイド３２０及び押えボルト３２１は、図１に示すエントリーガイド１２０及び押えボルト１２１にそれぞれ対応している。
入口ローラガイド装置Ｇ３では、中心振分フレーム３２３は調整ボルト３２６を通じてローラホルダの後端部を保持することで、圧延材の誘導案内時にローラホルダ３０２の片開き現象を抑制でき、そして主ガイドローラ３０４の芯間の調整機能を有するので、装置全体を簡単な構成にすることができる。
図１５乃至図１８に示す入口ローラガイド装置Ｇ４について説明する。
入口ローラガイド装置Ｇ４はガイドローラがシングルタイプのものであり、この点でダブルタイプの入口ローラガイド装置Ｇ２と相違している。
入口ローラガイド装置Ｇ４におけるガイドボックス４０１は、その先端部側（図１右端部側）を圧延機に向けてしかもこの圧延機の入口に設けられる。一対のローラホルダ４０２は、その中間部に位置している支点軸４０３を中心としてガイドボックス４０１に回転可能に取付けられている。各ローラホルダ４０２の先端部にはガイドローラ４０４がローラ支持軸４０５にこれを回転中心として回転自在に軸支されている。各ローラホルダ４０２は、その支点軸４０３を挾んで先端部寄りにその長さ方向と直交する方向に外側面から内側面に向けて保持ボルト４０８Ａがねじ込まれかつ図１７左右方向に貫通されている。各保持ボルト４０８Ａの先端部はガイドボックス４０１に接触している。また各ローラホルダ４０２は、後端部寄りに長さ方向と直交する方向に外側面から内側面に向けて複数本（図１８で各２本）の保持ボルト４０８Ｂがねじ込まれている。各保持ボルト４０８Ｂの先端部は芯間調整機構４０９の一部を構成している調整軸４１８に当接している。
芯間調整機構４０９において、ガイドボックス４０１の上部中央にペデスタル４１０が取付けられており、このペデスタルに作動体であるピニオンシャフト４１１が軸受されている。ピニオンシャフト４１１には、互いに逆ねじ関係にある調整部である調整ピニオン４１２がペデスタル４１０を挾んで設けられている。また図１５、図１６及び図１８に示すように、調整軸４１８の上部に偏心部４１６を、下端部に軸端部４２８をそれぞれ設けてある。偏心部４１６は、ギア部４１７ａを有するギアホイール４１７を一体的に形成してある。偏心部４１６及び軸端部４２８はいずれもガイドボックス４０１に回転可能に保持されている。偏心部４１６と軸端部４２８とは軸心が互いに一致している。偏心部４１６のギアホイールのギア部４１７ａには調整ピニオン４１２が噛み合っている。
各ローラホルダ４０２は、図１９に示すように、その後端部に平面長円形の軸孔４０２ａが上下方向に貫通されている。調整軸４１８は軸孔４０２ａ内に挿入され、ローラホルダ４０２の後端部を保持する手段を構成している。またローラホルダ４０２は、先端部にローラ支持軸用の軸孔４０２ｂを、中間部に支点軸用の軸孔４０２ｃを上下方向に貫通状態に開けてある。さらに、ローラホルダ４０２の後端部及び中間部分には外側面から内側に向けて保持ボルト４０８Ｂ及び保持ボルト４０８Ａがそれぞれねじ込まれる保持孔４０２ｄ及び保持孔４０２ｅを開けてある。図１５において、４２２はノーズピースである。
つぎに、ガイドローラ４０４の芯間調整操作について説明する。
ピニオンシャフト４１１を回すと、調整ピニオン４１２、ギアホイール４１７を介して偏心部４１６は回転する。偏心部４１６の回転に伴って調整軸４１８は偏心回転し、この回転力が直接ローラホルダ４０２の後端部側に伝達され、ローラホルダが支点軸４０３を中心として回転するために、両ローラホルダ間が開閉され、この結果ガイドローラ４０４の芯間の調整が図られる。
入口ローラガイド装置Ｇ４では、調整軸４１８は軸孔４０２ａを通じてローラホルダ４０２の後端部を保持することで、圧延材の誘導案内時にローラホルダの片開き現象を抑制でき、そしてガイドローラ４０４の芯間の調整機能を有するので、装置全体を簡単な構成にすることができる。
作動体として、図ではピニオンシャフト１１１，２１１，３１１，４１１を使用しているが、この例に限られず、例えばシリンダのロッドで構成し、このロッドを前後に移動させてロッドに設けている調整部を介してギアホイール１１７，２１７，３１７，４１７を回転させるようにしても良い。
また入口ローラガイド装置Ｇ１，Ｇ２，Ｇ３における第一上偏心部１１３，２１３並びに第二上偏心部１１６，２１６及び上偏心部３１６は図示するようにスリーブで構成する必要はなく、第一上偏心部１１３，２１３は調整軸１１８，２１８と、そして第二上偏心部１１６，２１６では第二ローラ支持軸１０７，２０７と、第二上偏心部３１６は第二ローラ支持軸３０７とそれぞれ一体成形したものであっても良い。また支点軸１０３，２０３，３０３及び調整軸１１８，２１８の下方軸端部を入口ローラガイド装置Ｇ４の軸端部４２８と同様の構成にすることにより、下偏心部１１４，２１４、下部１０３ａ，２０３ａ，３０３ａの各構成を簡単にすることができる。
【発明の効果】
この発明によれば、ローラホルダの後端部側を複数の保持ボルトによって保持することにより、そして後端部内を調整軸を挿通させて後端部側を保持することにより、また中心振分フレームに当接する調整ボルトを通じてローラホルダの後端部側を保持することにより、確実に対のローラホルダの片開きを防止でき、圧延材の倒れを確実に防ぐことができる。
【図面の簡単な説明】
【図１】この発明の入口ローラガイド装置Ｇ１を示す平面図である。
【図２】この発明の入口ローラガイド装置Ｇ１を示す正面図である。
【図３】この発明の入口ローラガイド装置Ｇ１の要部を示す断面図である。
【図４】この発明の入口ローラガイド装置Ｇ１を示す一部断面側面図である。
【図５】この発明の入口ローラガイド装置Ｇ２を示す平面図である。
【図６】この発明の入口ローラガイド装置Ｇ２を示す正面図である。
【図７】この発明の入口ローラガイド装置Ｇ２の要部を示す断面図である。
【図８】この発明の入口ローラガイド装置Ｇ２を示す側面図である。
【図９】この発明の入口ローラガイド装置Ｇ２におけるローラホルダの平面図である。
【図１０】この発明の入口ローラガイド装置Ｇ３を示す平面図である。
【図１１】この発明の入口ローラガイド装置Ｇ３を示す正面図である。
【図１２】この発明の入口ローラガイド装置Ｇ２を示す側面図であって押えボルトを省略している図である。
【図１３】この発明の入口ローラガイド装置Ｇ３における主ガイドローラ、副ガイドローラ及び第二芯間調整機構の取付け状態をそれぞれ示す断面図である。
【図１４】この発明の入口ローラガイド装置Ｇ３における第二芯間調整機構の要部を示す側面図である。
【図１５】この発明の入口ローラガイド装置Ｇ４を示す平面図である。
【図１６】この発明の入口ローラガイド装置Ｇ４を示す正面図である。
【図１７】図１６ＸＶＩＩ−ＸＶＩＩ線断面図である。
【図１８】図１６ＸＶＩＩＩ−ＸＶＩＩＩ線断面図である。
【図１９】この発明の入口ローラガイド装置Ｇ４におけるローラホルダの平面図である。
【符号の説明】
Ｇ１        入口ローラガイド装置          １０１      ガイドボックス
１０２      ローラホルダ                  １０３      支点軸
１０４      主ガイドローラ（ガイドローラ）
１０５      第一ローラ支持軸（ローラ支持軸）
１０８      保持ボルト                    １０９      芯間調整機構
１１１      ピニオンシャフト（作動体）
１１２      調整ピニオン（調整部）
１１３      第一上偏心部（偏心部）        １１５      ギアホイール
１１５ａ    ギア部                        １１８      調整軸
１１９      テンションスプリング（ばね）
Ｇ２        入口ローラガイド装置
２０１      ガイドボックス                ２０２      ローラホルダ
２０３      支点軸
２０４      主ガイドローラ（ガイドローラ）
２０５      第一ローラ支持軸（ローラ支持軸）
２０９      芯間調整機構
２１１      ピニオンシャフト（作動体）
２１２      調整ピニオン（調整部）        ２１３      第一上偏心部
２１５      ギアホイール                  ２１５ａ    ギア部
２１８      調整軸
Ｇ３        入口ローラガイド装置          ３０１      ガイドボックス
３０２      ローラホルダ                  ３０３      支点軸
３０４      主ガイドローラ（ガイドローラ）
３０５      第一ローラ支持軸（ローラ支持軸）
３０９Ａ    第一芯間調整機構（芯間調整機構）
３１９      テンションスプリング（ばね）
３２３      中心振分フレーム              ３２３ａ    側部
３２３ａ１  調整面                        ３２４      支持部
３２６      調整ボルト
Ｇ４        入口ローラガイド装置          ４０１      ガイドボックス
４０２      ローラホルダ                  ４０２ａ    軸孔
４０３      支点軸                        ４０４      ガイドローラ
４０５      ローラ支持軸                  ４０８Ｂ    保持ボルト
４０８      調整軸                        ４０９      芯間調整機構
４１１      ピニオンシャフト（作動体）
４１２      調整ピニオン（調整部）        ４１６      偏心部
４１７      ギアホイール                  ４１７ａ    ギア部
【図１】
0004142826.tif 000002
【図２】
0004142826.tif 000003
【図３】
0004142826.tif 000004
【図４】
0004142826.tif 000005
【図５】
0004142826.tif 000006
【図６】
0004142826.tif 000007
【図７】
0004142826.tif 000008
【図８】
0004142826.tif 000009
【図９】
0004142826.tif 000010
【図１０】
0004142826.tif 000011
【図１１】
0004142826.tif 000012
【図１２】
0004142826.tif 000013
【図１３】
0004142826.tif 000014
【図１４】
0004142826.tif 000015
【図１５】
0004142826.tif 000016
【図１６】
0004142826.tif 000017
【図１７】
0004142826.tif 000018
【図１８】
0004142826.tif 000019
【図１９】
0004142826.tif 000020